(57)【要約】【課題】足場材の支柱への連結をより安全かつ確実でしかも容易に実施することができる仮設足場用連結構造体を提供する。【解決手段】仮設足場用の足場材を支柱のくさび受けに取り外し可能に連結するための構造体であって、２つの板状部材からなる本体部材と、前記くさび受けの穴部に上方から抜き差し自在に前記本体部材に一体に形成されて、係合部が備えられた固定くさび部と、前記本体部材を構成する２つの板状部材の間に形成されたガイド部に沿って横方向に進退可能に設けられると共に、前進時はその先端部が前記固定くさび部に対して係合し、後退時には係合解除するロック部材とを有する。【選択図】図２
2008214994.tif 000002
【特許請求の範囲】
【請求項１】
仮設足場用の足場材を支柱のくさび受けに取り外し可能に連結するための構造体であって、
２つの板状部材からなる本体部材と、
前記くさび受けの穴部に上方から抜き差し自在に前記本体部材に一体に形成されて、係合部が備えられた固定くさび部と、
前記本体部材を構成する２つの板状部材の間に形成されたガイド部に沿って横方向に進退可能に設けられると共に、前進時は前記固定くさび部の係合部に対して係合し、後退時には係合解除するロック部材
とを有することを特徴とする仮設足場用連結構造体。
【請求項２】
前記ロック部材に脱落防止部が設けられた請求項１に記載の仮設足場用連結構造体。
【請求項３】
前記ロック部材の先端部はくさび状に構成された請求項１又は２に記載の仮設足場用連結構造体。
【請求項４】
前記ロック部材後部にハンマー打ち込み用の突部が形成された請求項１ないし３のいずれか１項に記載の仮設足場用連結構造体。
【発明の詳細な説明】
【技術分野】
【０００１】
この発明は、仮設足場用連結構造体に関する。
【背景技術】
【０００２】
一般に、建築物の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に斜行材若しくは水平材若しくは垂直材等の足場材を手すりとして先行して配置するように構成される。
【０００３】
上記の如く、足場材を配置する場合において、前記足場材を支柱のホルダーに取り外し可能に連結するための連結部材が使用された筋交いあるいは先行筋交い手摺り等が知られている（例えば、特許文献１参照）。この先行筋交い手摺りは、支柱の対角位置にあるホルダーにそれぞれ仮設足場用連結構造体である連結部材により固定されて斜めに筋交いが架設されるものであり、使用される前記各連結部材としては、対角位置にある上位ホルダーに係止される係止フック及び下位ホルダーで螺着固定される係止金具が用いられている。このような仮設足場用連結構造体であれば、取付作業を容易に行うことができる。
【０００４】
しかしながら、仮設足場材には上下方向だけでなく左右方向などあらゆる方向から負荷がかかるため、係止フックが上位ホルダーより外れたり、あるいはその固定状態が緩んで足場材が撓んだりがたついたり等するおそれがある。
【特許文献１】特開２００６−１６９９１９号公報
【発明の開示】
【発明が解決しようとする課題】
【０００５】
この発明は前記の点に鑑みなされたものであり、足場材の支柱への連結をより安全かつ確実でしかも容易に実施することができる仮設足場用連結構造体を提供するものである。
【課題を解決するための手段】
【０００６】
すなわち、請求項１の発明は、仮設足場用の足場材を支柱のくさび受けに取り外し可能に連結するための構造体であって、２つの板状部材からなる本体部材と、前記くさび受けの穴部に上方から抜き差し自在に前記本体部材に一体に形成されて、係合部が備えられた固定くさび部と、前記本体部材を構成する２つの板状部材の間に形成されたガイド部に沿って横方向に進退可能に設けられると共に、前進時は前記固定くさび部の係合部に対して係合し、後退時には係合解除するロック部材とを有することを特徴とする仮設足場用連結構造体に係る。
【０００７】
請求項２の発明は、前記ロック部材に脱落防止部が設けられた請求項１に記載の仮設足場用連結構造体に係る。
【０００８】
請求項３の発明は、前記ロック部材の先端部はくさび状に構成された請求項１又は２に記載の仮設足場用連結構造体に係る。
【０００９】
請求項４の発明は、前記ロック部材後部にハンマー打ち込み用の突部が形成された請求項１ないし３のいずれか１項に記載の仮設足場用連結構造体に係る。
【発明の効果】
【００１０】
請求項１の発明に係る仮設足場用連結構造体によれば、仮設足場用の足場材を支柱のくさび受けに取り外し可能に連結するための構造体であって、２つの板状部材からなる本体部材と、前記くさび受けの穴部に上方から抜き差し自在に前記本体部材に一体に形成されて、係合部が備えられた固定くさび部と、前記本体部材を構成する２つの板状部材の間に形成されたガイド部に沿って横方向に進退可能に設けられると共に、前進時は前記固定くさび部の係合部に対して係合し、後退時には係合解除するロック部材とを有するため、足場材の支柱への連結を極めて安全かつ確実に、しかも容易に実施することができる。
【００１１】
請求項２の発明によれば、請求項１において、前記ロック部材に脱落防止部が設けられたため、作業性及び安全性がより向上される。
【００１２】
請求項３の発明によれば、請求項１又は２において、前記ロック部材の先端部はくさび状に構成されたため、前記固定くさび部の係合部に対してロック部材をさらに確実に係合させることができる。
【００１３】
請求項４の発明によれば、請求項１ないし３のいずれか１項において、前記ロック部材後部にハンマー打ち込み用の突部が形成されたため、前記係合部に対するロック部材の係合及び係合解除をより簡単に行うことができる。
【発明を実施するための最良の形態】
【００１４】
以下添付の図面に従ってこの発明を詳細に説明する。
図１はこの発明の一実施例に係る仮設足場用連結構造体を使用した仮設足場用筋交いを示す概略正面図、図２は図１の仮設足場用連結構造体の足場支柱への取付前の状態を表す概略拡大正面図、図３は図２の仮設足場用連結構造体が足場支柱へ取り付けられた状態を表す概略拡大正面図、図４はこの発明の実施例に係る仮設足場用連結構造体を使用した別の仮設足場用筋交いを示す仮設足場用連結構造体の概略正面図である。
【００１５】
図１ないし図３に示すこの発明の一実施例に係る仮設足場用連結構造体１０（１０ａ，１０ｂ）は、仮設足場用の足場材を支柱Ｐ１，Ｐ２のくさび受け１５に取り外し可能に連結するための構造体１０であって、２つの板状部材２１，２２からなる本体部材２０と、前記くさび受け１５の穴部１６に上方から抜き差し自在に前記本体部材２０に一体に形成されて、係合部３５が備えられた固定くさび部３０と、前記本体部材２０を構成する２つの板状部材２１，２２の間に形成されたガイド部２５，２６，２７に沿って横方向に進退可能に設けられると共に、前進時は前記固定くさび部３０の係合部３５に対して係合し、後退時には係合解除するロック部材４０とを有する。
【００１６】
本体部材２０は、２つの板状部材２１，２２からなり、この本体部材２０の２つの板状部材２１，２２の間にはガイド部が形成される。図２及び図３の実施例において、ガイド部として板状部材２１，２２の下端部に板片２７、その上方に板片２５が配設され、板状部材２１，２２を貫通する固定ピン２６によって、前記ガイド部２５及びガイド部２７が挟持されるように保持される。このとき、前記ガイド部２５及びガイド部２７は、その間を後述のロック部材４０が前後方向（図３の矢印ａ及び矢印ｂ方向）に直動できるように設けられている。さらに、実施例では固定ピン２６もロック部材４０のガイドが可能なガイド部として形成されると共に、後述するロック部材４０の脱落防止部４５が係着されるように形成されているため、より簡易な構成とすることができる。
【００１７】
固定くさび部３０は、前記くさび受け１５の穴部１６に上方から抜き差し自在に構成される。また、前記固定くさび部３０は、前記本体部材２０に一体に形成されて、前記穴部１６上方から挿入される本体部３１に係合部３５が備えられる。前記係合部３５は後述のロック部材４０が係合可能なように形成され、図２及び図３の実施例では、係合部として凹部３５が設けられてロック部材４０の先端部４２が係合される。前記係合部の形状は特に限定されず、ロック部材４０の先端部４２が貫通する穴部３５Ａとされてもよく、図示しない溝部や係合可能な突部などが形成されてもよい。また、実施例の固定くさび部３０は、根本部３２の下部３４が溶接により板状部材２１（２２）に固着されて本体部材２０に一体に形成されており、固定くさび部３０の根本部３２は、溶接により固着された連結部材５５を介して仮設足場用の足場材である斜行材５１の端部５１ａ、水平手摺り材５２と連結されている。
【００１８】
ロック部材４０は、前記本体部材２０を構成する２つの板状部材２１，２２の間に形成されたガイド部２５，２６，２７に沿って横方向（図３の矢印ａ方向及び矢印ｂ方向）に進退可能に設けられると共に、前進時は前記固定くさび部３０の係合部３５に対して係合し、後退時には係合解除される。このように構成されることで、図３のように足場支柱Ｐ１のくさび受け１５に仮設足場用連結構造体１０が確実に連結され、くさび受け１５に連結された前記連結構造体１０にあらゆる方向から負荷がかかっても、前記連結構造体１０が歪んだりずれたりしにくく、連結される各種足場材のがたつきや撓みが発生しにくい。
【００１９】
また、実施例のロック部材４０は、図示の如く、本体部材２０に設けられた固定ピン２６と係着する脱落防止部４５が設けられており、前記ロック部材４０を後方（矢印ｂ方向）へ直動させたときに本体部材２０から脱け落ちることがなく、作業性及び安全性が向上する。さらに、この実施例のロック部材４０は、図２及び図３に示されるように、ロック部材４０を構成する棒状部材４１の先端部４２がくさび状に構成され、前記固定くさび部３０の係合部３５に前記ロック部材４０がより確実に係合される。加えて、実施例において、ロック部材４０の棒状部材４１の後部４３下側に、突部４６が形成されており、突部４６をハンマー等により図３の矢印ａ方向あるいは矢印ｂ方向に打ち込むことにより、ロック部材４０を固定くさび部３０に対して極めて容易に係合あるいは係合解除することができる。なお、この突部は後述するように、連結構造体の取り付けられる位置に応じて作業がしやすいように、上側に形成される突部４６Ａとされてもよい（図４の仮設足場用連結構造体１０Ａ参照）。
【００２０】
次に、前記仮設足場用連結構造体１０（１０ａ）による足場材５１ａ，５２の支柱Ｐ１への連結方法について図２及び図３を用いて説明する。連結前の仮設足場用連結構造体１０は、ロック部材４０が後退して脱落防止部４５が本体部材２０のガイド部２６に係着された状態である。
【００２１】
まず、図２に示すように、固定くさび部３０の本体部３１がくさび受け１５の上方から穴部１６に挿入されることにより、前記仮設足場用連結構造体１０の支柱Ｐ１への連結が開始される。
【００２２】
次いで、図３から理解されるように、ロック部材４０をガイド部２５，２６，２７に沿って前進させて、該ロック部材４０の後部に形成された突部４６を後側から矢印ａ方向に向かってハンマー等を用いて打ち込むことにより、前記ロック部材４０の先端部４２が固定くさび部３０の本体部３１に形成された係合部３５に係合されて固定される。これによって、前記仮設足場用連結構造体１０による足場材５１ａ，５２の支柱Ｐ１への連結が完了する。
【００２３】
また、仮設足場用連結構造体１０を支柱Ｐ１から取り外す場合は、図３に示すように、ロック部材４０の突部４６を矢印ｂ方向にハンマー等を用いて打ち込んで、前記ロック部材４０の先端部４２を固定くさび部３０の係合部３５から後退させて固定解除し（図２参照）、続いて、固定くさび部３０の本体部３１をくさび受け１５の穴部１６から抜去させることで当該仮設足場用連結構造体１０の支柱Ｐ１からの取り外しが完了する。
【００２４】
以上説明した仮設足場用連結構造体１０の使用例として、図１に示すような仮設足場用筋交い５０がある。前記仮設足場用筋交い５０は、足場支柱Ｐ１，Ｐ２の間に傾斜して配設される２本の斜行材５１，５１と、前記斜行材５１，５１に配置された水平手摺り材５２と、前記斜行材５１の各両端部５１ａ，５１ｂに設けられて前記支柱Ｐ１，Ｐ２に配備されたくさび受け１５，１５に対して取り外し可能に係着される上側連結構造体１０ａ及び下側連結構造体１０ｂとから構成されている。なお、前記上側連結構造体１０ａ及び下側連結構造体１０ｂの構成は、上述の実施例の仮設足場用連結構造体１０と同一構成であり、図において同一符号は同一の構成を表すものとしてその説明を省略する。また、以下の実施例についても同様である。
【００２５】
図１から理解されるように、前記上側連結構造体１０ａにおいて、固定くさび部３０の根本部３２に固着される連結部材５５を介して水平手摺り材５２及び斜行材５１の端部５１ａが連結されている。また、下側連結構造体１０ｂには、固定くさび部３０の根本部３２に斜行材５１の下端部５１ｂが固着されている。仮設足場用筋交い５０を支柱Ｐ１，Ｐ２に連結させるときは、まず、上側連結構造体１０ａ，１０ａが支柱Ｐ１，Ｐ２に配備されたくさび受け１５，１５に連結されて、次に、下側連結構造体１０ｂ，１０ｂが支柱Ｐ１，Ｐ２のくさび受け１５，１５に連結される。なお、上側連結構造体１０ａ及び下側連結構造体１０ｂのくさび受け１５に対する連結方法は、上述した仮設足場用連結構造体１０の場合と同様であるので、その説明を省略する。
【００２６】
また、仮設足場用連結構造体１０の別の使用例である仮設足場用筋交い５０Ａは、図４に示されるように、足場支柱Ｐ１，Ｐ２の間に傾斜して配設される斜行材５１，５１と、前記斜行材５１，５１に配置された水平手摺り材５２と、前記斜行材５１の両端部５１ａ，５１ｂに設けられて前記支柱Ｐ１，Ｐ２に配備されたくさび受け１５，１５に対して取り外し可能に係着される上側連結構造体１０Ａ及び下側連結構造体１０ｂとより構成されている。
【００２７】
前記仮設足場用筋交い５０Ａの前記上側連結構造体１０Ａにおいて、斜行材５１の上端部５１ａが本体部材２０の下側に連結部材により固着されている。そのため、ロック部材４０Ａのハンマー打ち込み作業が行いやすいように、突部４６Ａがロック部材４０Ａの上側に形成される。なお、水平手摺り材５２は、前述と同様に上側連結構造体１０Ａの固定くさび部３０の根本部３２に連結部材５５を介して連結される。その他の構成部材は上述した実施例と同様であり、また、仮設足場用筋交い５０Ａにおける上側連結構造体１０ａ及び下側連結構造体１０ｂのくさび受け１５に対する連結方法は、上述した仮設足場用連結構造体１０の場合と同様であるので、その説明を省略する。
【００２８】
このように、足場支柱へ連結するための斜行材、水平手摺り材、垂直材等の足場材は前記仮設足場用連結構造体に対してどのように連結されてもよく、それに応じて作業性等の観点から、発明の趣旨を逸脱しない範囲において前記連結構造体の構成の一部を適宜に変更して実施することができる。なお、この発明の仮設足場用連結構造体は、ここで説明した使用例に限定されるものではなく、連結する足場材として、足場支柱の間に傾斜される１本の斜行材から構成される足場材や、水平手摺り材が配置されない筋交い等に使用されてもよい。
【図面の簡単な説明】
【００２９】
【図１】この発明の一実施例に係る仮設足場用連結構造体を使用した仮設足場用筋交いを示す概略正面図である。
【図２】図１の仮設足場用連結構造体の足場支柱への取付前の状態を表す概略拡大正面図である。
【図３】図２の仮設足場用連結構造体が足場支柱へ取り付けられた状態を表す概略拡大正面図である。
【図４】この発明の実施例に係る仮設足場用連結構造体を使用した別の仮設足場用筋交いを示す仮設足場用連結構造体の概略正面図である。
【符号の説明】
【００３０】
１０，１０ａ，１０ｂ，１０Ａ  仮設足場用連結構造体
２０  本体部材
２１，２２  板状部材
２５，２６，２７  ガイド部
３０  固定くさび部
３５  係合部
４０  ロック部材
４５  脱落防止部
５０，５０Ａ  仮設足場用筋交い
Ｐ１，Ｐ２  支柱
１５  くさび受け
【図１】
2008214994.tif 000003
【図２】
2008214994.tif 000004
【図３】
2008214994.tif 000005
【図４】
2008214994.tif 000006